(57)【特許請求の範囲】
【請求項１】
内視鏡の内部に連通可能に接続される内視鏡接続部と、
前記内視鏡接続部に連通しており気体を送り出す送気部と、
前記内視鏡の内部圧力を測定する測定部と、
個々の内視鏡に固有に割り当てられたシリアルナンバーを認識する内視鏡情報認識部と、
前記シリアルナンバーと前記測定部の測定結果とを紐付けて記憶する記憶部と、
前記記憶部に記憶された同じシリアルナンバーの過去の測定結果を基に閾値を設定する閾値設定部と、
前記閾値と、前記測定部による測定結果とを比較して前記内視鏡の漏洩の有無を判定する漏洩判定部と、
を含むことを特徴とする内視鏡漏洩検査装置。
【請求項２】
前記閾値設定部は、前記記憶部に記憶された同じシリアルナンバーの過去の測定結果のうち最新の値に対して、第１の値を足した値を上限閾値、第２の値を引いた値を下限閾値と設定し、
前記漏洩判定部は、測定部による測定結果が前記上限閾値から前記下限閾値の範囲に収まっていない場合には内視鏡に漏洩箇所があると判断することを特徴とする請求項１に記載の内視鏡漏洩検査装置。
【請求項３】
前記記憶部は、前記測定結果に紐付けて前記測定を行った時期を記憶することを特徴とする請求項１に記載の内視鏡漏洩検査装置。
【請求項４】
最新の前記内部圧力の測定時期が所定期間よりも前であった場合には、
前記閾値設定部は、前記最新の内部圧力に第３の値を引いた値に対して、
第４の値を足した値を上限閾値、
第５の値を引いた値を下限閾値、
と設定することを特徴とする請求項３に記載の内視鏡漏洩検査装置。
【請求項５】
外部から送信された、前記シリアルナンバーに紐付けられた閾値情報を受信する閾値情報受信部を含み、
前記漏洩判定部は、
前記閾値設定部が設定した閾値、および、前記閾値情報受信部により受信された前記閾値情報のうち最新のものと、前記測定部による測定結果と、を比較して前記内視鏡の漏洩の有無を判定する請求項３に記載の内視鏡漏洩検査装置。
【請求項６】
外部から送信された、個々の内視鏡に固有に割り当てられたシリアルナンバーに紐付けられた内視鏡の内部圧力情報を受信する内部圧力情報受信部を含み、
前記記憶部は、前記閾値情報受信部により受信した内部圧力情報を記憶し、
前記閾値設定部は前記内部圧力情報受信部が受信した内部圧力情報を基に閾値を設定する請求項５に記載の内視鏡漏洩検査装置。
【発明の詳細な説明】
【技術分野】
【０００１】
本発明は、内視鏡の内部に送気して圧力を測定し漏洩の検査を行う内視鏡漏洩検査装置に関する。
【背景技術】
【０００２】
一般的に、内視鏡を構成する各構成部品のうちの少なくとも一部の構成部品は、液体の浸入等の要因による機能低下または性能低下を防止する目的において、気密性が確保された領域に配置されている。【０００３】
また、一般的な内視鏡においては、例えば、気密性が確保された領域を構成するために用いられているゴム部材等の構成部材が内視鏡の誤った取り扱いにより、当該領域の気密性が低下してしまう、という問題が発生し得る。そのため、内視鏡が使用される前、または、使用済の内視鏡が洗浄される前等において、内視鏡の気密性が確保されているか否かを確認するための漏洩検査が従来行われている。そして、例えば、日本国特開２００１−２４５８３９号公報には、前述の漏洩検査に利用可能な漏洩検出装置が開示されている。【０００４】
具体的には、日本国特開２００１−２４５８３９号公報には、防水構造部分を具備する内視鏡に用いられる漏洩検出装置であって、当該防水構造部分に対する送気の終了後に検知される圧力と、当該防水構造部分に対する送気の終了後から所定時間継続して検知される圧力と、の比較結果に基づいて当該防水構造部分における穴または亀裂等の有無を判断するための構成が開示されている。【０００５】
しかし、日本国特開２００１−２４５８３９号公報に開示された構成によれば、構成部材の経時劣化に伴う内視鏡内部の容積変化を考慮することなく、防水構造部分における異常状態の有無の判断が行われている。【０００６】
本発明は、前述した事情に鑑みてなされたものであり、内視鏡の経時劣化を加味した上で内視鏡の気密性が確保されているか否かの確認が可能な内視鏡漏洩検査装置を提供することを目的としている。
【発明の開示】
【課題を解決するための手段】
【０００７】
本発明の一態様の内視鏡漏洩検査装置は、内視鏡の内部に連通可能に接続される内視鏡接続部と、前記内視鏡接続部に連通しており気体を送り出す送気部と、前記内視鏡の内部圧力を測定する測定部と、個々の内視鏡に固有に割り当てられたシリアルナンバーを認識する内視鏡情報認識部と、前記シリアルナンバーと前記測定部の測定結果とを紐付けて記憶する記憶部と、前記記憶部に記憶された同じシリアルナンバーの過去の測定結果を基に閾値を設定する閾値設定部と、前記閾値と、前記測定部による測定結果とを比較して前記内視鏡の漏洩の有無を判定する漏洩判定部と、を有する。
【図面の簡単な説明】
【０００８】
【図１】実施例に係る内視鏡漏洩検査装置を含む検査システムの要部の構成を示す図。
【図２】実施例に係る内視鏡漏洩検査装置に含まれる本体装置の構成の一例を説明するための図。
【図３】実施例に係る内視鏡漏洩検査装置により行われる処理等の一例を説明するためのフローチャート。
【図４】図３の処理により設定される閾値ＴＨ１及びＴＨ２の経時的変化の一例を示す図。
【発明を実施するための最良の形態】
【０００９】
以下、本発明の実施の形態について、図面を参照しつつ説明を行う。【００１０】
図１から図４は、本発明の実施例に係るものである。【００１１】
図１は、実施例に係る内視鏡漏洩検査装置を含む検査システムの要部の構成を示す図である。図１に示すように、軟性の内視鏡１は、本発明の内視鏡漏洩検査装置２に接続される。漏洩検査装置２には、入力装置３と、表示装置４が含まれていても良いし、これらを外部接続可能に構成されていてもよい。更に、本発明の内視鏡漏洩検査装置２は通信回線（不図示）を介して内視鏡漏洩検査装置２の本体装置２４に接続される外部装置５と併用することも可能である。外部装置５の詳細については後述する。【００１２】
内視鏡１の内部には、例えば、ゴム部材等により気密性が確保された気密領域が１つ以上設けられている。また、内視鏡１には、個々の内視鏡１にそれぞれ個別に割り振られたシリアル番号等の識別情報を含む内視鏡情報を内視鏡漏洩検査装置２の本体装置２４へ無線で送信可能なＲＦＩＤ（Ｒａｄｉｏ  Ｆｒｅｑｕｅｎｃｙ  Ｉｄｅｎｔｉｆｉｃａｔｉｏｎ）等により構成された、無線タグ１１が設けられている。【００１３】
内視鏡漏洩検査装置２は、例えば、図１に示すように、送気部２１と、電磁弁２２と、測定部２３と、本体装置２４と、を有して構成されている。【００１４】
送気部２１の具体例としてはエアポンプが挙げられる。送気部２１は、例えば、気体流路ＦＣおよび、気体流路ＦＣの先端に設けられた内視鏡接続部２５を介して内視鏡１に連通可能に接続されている。また、送気部２１は、本体装置２４から出力される駆動信号に基づき、内視鏡１の内部を加圧するための空気の供給を実施または停止するように構成されている。なお、内視鏡接続部２５は直接内視鏡に接続されていてもよいし、内視鏡との間に外付けのチューブ（不図示）を介して内視鏡に接続されていてもよい。【００１５】
電磁弁２２は、内視鏡１から送気部２１までの間の気体流路ＦＣにおける所定の位置に設けられている。また、電磁弁２２は、本体装置２４から出力される駆動信号に基づき、開放状態または閉鎖状態になるための開閉動作を行うように構成されている。【００１６】
気体流路ＦＣのうち、内視鏡接続部２５と電磁弁２２との間に測定部２３が配置されている。測定部２３は、電磁弁２２が閉鎖状態である場合の内視鏡接続部２５と電磁弁２２とに挟まれた気体流路ＦＣの圧力を検出するとともに、検出した圧力に応じた電気信号を生成して本体装置２４へ出力するように構成されている。内視鏡接続部２５と電磁弁２２とに挟まれた気体流路ＦＣは内視鏡内部と連通しているので、前記気体流路ＦＣの内圧を内視鏡の内圧と読み替えることができる。【００１７】
本体装置２４は、例えば、図２に示すように、駆動部６１と、圧力測定部６２と、記憶部６３と、内視鏡情報認識部６４と、制御部６５と、を有して構成されている。図２は、実施例に係る内視鏡漏洩検査装置に含まれる本体装置の構成の一例を説明するための図である。【００１８】
駆動部６１は、制御部６５の制御に基づき、送気部２１及び電磁弁２２をそれぞれ駆動するための駆動信号を生成して出力するように構成されている。【００１９】
圧力測定部６２は、測定部２３から出力される電気信号に応じた圧力値を取得するように構成されている。【００２０】
記憶部６３は、例えば、不揮発性記憶媒体等を具備し、内視鏡１の気密性が確保されているか否かを確認するための漏洩検査に係る検査情報を１つ以上含む検査履歴等の種々の情報を格納することができるように構成されている。【００２１】
内視鏡情報認識部６４は、例えば、ＲＦＩＤリーダー等を具備し、無線タグ１１から送信される無線信号を受信し、当該受信した無線信号に含まれる内視鏡情報を制御部６５へ出力するように構成されている。また、内視鏡情報認識部６４は、例えば、ＬＡＮ（Ｌｏｃａｌ  Ａｒｅａ  Ｎｅｔｗｏｒｋ）アダプタ等を具備し、制御部６５と外部装置５との間の通信に係る種々の動作を行うように構成されている。ただし、本発明において内視鏡情報の保有形態としては無線タグ１１の様な信号を発するものに限定されず、数字や記号の羅列、またはバーコードの様な信号を発しないものであってもよい。この場合、内視鏡情報認識部６４はバーコードを読み取るバーコードリーダーとなる。【００２２】
制御部６５は、例えば、ＣＰＵ等を具備し、駆動部６１に対する制御、及び、入力装置３の操作に応じた動作を行うように構成されている。また、制御部６５は、例えば、表示制御回路６５Ｄを具備し、漏洩検査が実施される検査対象の内視鏡１を個々に特定可能な識別情報の入力を促す入力画面等のＧＵＩ（Ｇｒａｐｈｉｃａｌ  ｕｓｅｒ  ｉｎｔｅｒｆａｃｅ）を生成して表示装置４に表示させることができるように構成されている。内視鏡を特定可能な識別情報としては１個の内視鏡ごとに異なるシリアル番号を例示することができる。制御部６５は、内視鏡情報認識部６４を経て入力される内視鏡情報と、前述の入力画面において入力された情報のいずれかに基づく内視鏡１のシリアル番号との両方、またはシリアル番号のみを取得する。制御部６５は、取得した内視鏡情報またはシリアル番号に対応する内視鏡１の機種を特定し、当該取得した内視鏡情報またはシリアル番号に該当する検査情報の有無を確認するように構成されている。【００２３】
一方、制御部６５は、計時部６５Ａと、閾値設定部６５Ｂと、判定部６５Ｃと、を有して構成されている。【００２４】
計時部６５Ａは、例えば、リアルタイムクロック等を具備し、現在の日時に係る情報を取得することができるように構成されている。また、計時部６５Ａは、例えば、タイマ等を具備し、後述の時間Ｔ１及びＴ２を計測するための計時動作を行うことができるように構成されている。【００２５】
閾値設定部６５Ｂは、内視鏡１のシリアル番号に該当する検査情報が検査履歴に含まれているとの確認結果が得られた場合には、内視鏡１に対する漏洩検査で用いられる閾値を、内視鏡１の機種及び検査情報に基づいて設定するように構成されている。また、閾値設定部６５Ｂは、内視鏡１のシリアル番号に該当する検査情報が検査履歴に含まれていないとの確認結果が得られた場合には、内視鏡１に対する漏洩検査で用いられる閾値を、内視鏡１の機種に応じて設定するように構成されている。なお、このような閾値の設定に係る処理の詳細については、後程説明する。【００２６】
また、閾値設定部６５Ｂは、例えば、漏洩検査が未実施である等の理由により、内視鏡情報認識部６４を経て入力される内視鏡情報に含まれるシリアル番号に該当する検査情報を（検査履歴から）取得できなかった場合には、内視鏡１に対する漏洩検査で用いられる閾値を、当該シリアル番号に該当する内視鏡１の機種に応じた所定の値に設定するように構成されている。【００２７】
判定部６５Ｃは、漏洩検査により取得された圧力変動値と、閾値設定部６５Ｂにより設定された１つ以上の閾値と、に基づく判定を行うことにより、内視鏡１の気密性が確保されているか否かに係る判定を行うように構成されている。【００２８】
入力装置３は、例えば、キーボード及びポインティングデバイス等を具備し、制御部６５に対する情報の入力及び指示に係る操作を行うことができるように構成されている。【００２９】
表示装置４は、例えば、液晶ディスプレイ等を具備し、制御部６５により生成されたＧＵＩ等を表示することができるように構成されている。【００３０】
外部装置５は、例えば、図１の検査システムとは異なる検査システムに含まれる他の内視鏡漏洩検査装置（以降、内視鏡漏洩検査装置２ｉと称する）により構成されている。なお、外部装置５は、内視鏡漏洩検査装置２ｉであるものに限らず、例えば、内視鏡漏洩検査装置２及び２ｉからアクセス可能であるとともに、内視鏡漏洩検査装置２及び２ｉにより取得された検査情報をデータベースとして集積して保持するように構成されたデータベースサーバであってもよい。【００３１】
本体装置２４に含まれる制御部６５は、例えば、コンピュータ等の情報処理装置を具備し、内視鏡漏洩検査装置２ｉに設けられた制御部６５との間で通信を行うことができるように構成されている。また、制御部６５は、例えば、漏洩検査装置２において実施された漏洩検査の検査情報と、内視鏡漏洩検査装置２ｉにおいて実施された漏洩検査の検査情報と、を通信回線（不図示）を介して内視鏡漏洩検査装置２ｉから取得するとともに、当該取得した各検査情報を含む検査履歴を記憶部６３に格納するように構成されていてもよい。また、制御部６５は、内視鏡漏洩検査装置２ｉに設けられた本体装置２４からの要求を受信した際に、当該要求に応じた各検査情報を記憶部６３に格納されている検査履歴の中から抽出するための処理を行うとともに、抽出結果に係る情報を内視鏡漏洩検査装置２ｉに設けられた本体装置２４へ返送するための動作を行うことができるように構成されていてもよい。【００３２】
次に、本実施例の作用について説明する。まず、記憶部６３に格納される検査情報を得るために行われる漏洩検査（後述の図３のステップＳ７において実施される漏洩検査）の一例について述べる。【００３３】
制御部６５は、内視鏡１と漏洩検査装置２とが気体流路ＦＣを介して接続された状態において、電磁弁２２を開放状態にさせるとともに、送気部２１から内視鏡１への送気を実施させるための制御を駆動部６１に対して行う。【００３４】
制御部６５は、送気部２１による送気が開始された際に計時部６５Ａに時間のカウントを開始させる。【００３５】
制御部６５は、計時部６５Ａによる前記カウントが開始されてから時間Ｔ１が経過した際に、送気部２１から内視鏡１への送気を停止させるとともに、電磁弁２２を開放状態から閉鎖状態へ移行させるための制御を駆動部６１に対して行う。【００３６】
制御部６５は、前述の時間Ｔ１が経過したタイミングＴＡにおける圧力値ＰＡと、当該タイミングＴＡからさらに時間Ｔ２が経過したタイミングＴＢにおける圧力値ＰＢとを用いて所定の演算を行うことにより、圧力変動値ΔＰを算出する。前記所定の演算については単にＰＢとＰＡの差分を算出するだけでもよいし、エアーの膨張率を加味するため、内視鏡温度またはエアー温度を組み込んで演算してもよい。【００３７】
制御部６５の判定部６５Ｃは、新品の内視鏡または、修理後最初の使用時の内視鏡については、前述のように算出した圧力変動値ΔＰと機種固有の所定の閾値とから内視鏡１の気密性が確保されているか否かを判定する。機種固有の所定の閾値は判断部が予め所有していてもよいし、外部入力されても良いし、通信回線を使って装置外から取得してもよい。【００３８】
そして、制御部６５の判定部６５Ｃは、複数回使用後の内視鏡については内視鏡の経時劣化も判断条件に加味するため、圧力変動値ΔＰと、後述の図３のステップＳ５またはステップＳ６の処理を経て設定された閾値ＴＨ１及びＴＨ２と、に基づく判定を行うことにより、内視鏡１の気密性が確保されているか否かを判定する。【００３９】
具体的には、判定部６５Ｃは、例えば、前述のように算出した圧力変動値ΔＰが閾値ＴＨ１以上かつ閾値ＴＨ２以下の範囲内に入っている場合（ＴＨ１≦ΔＰ≦ＴＨ２を満たす場合）には、内視鏡１の気密性が確保されていると判定する。【００４０】
また、制御部６５の判定部６５Ｃは、例えば、前述のように算出した圧力変動値ΔＰが閾値ＴＨ２より大きい場合（ＴＨ２＜ΔＰを満たす場合）には、内視鏡１の気密性が確保されていないと判定する。【００４１】
すなわち、以上に述べたような漏洩検査によれば、判定部６５Ｃによる判定結果と、当該判定結果を得る際に用いられた圧力変動値ΔＰと、が内視鏡１の漏洩検査の検査結果として取得される。また、本実施例によれば、以上に述べたような漏洩検査が実施された内視鏡１のシリアル番号と、当該シリアル番号に対応する漏洩検査の検査結果と、当該検査結果を得た日時に相当する検査日時と、を関連付けた１つ以上の検査情報を含む検査履歴が、記憶部６３に格納される。【００４２】
なお、本実施例の判定部６５Ｃは、圧力値ＰＡから圧力値ＰＢを減じて得られる圧力変動値ΔＰを用いて閾値判定を行うことにより、内視鏡１の気密性が確保されているか否かを判定するものに限らず、例えば、当該圧力変動値ΔＰを用いて漏洩量ＬＬ（ｍＬ／ｍｉｎ）を算出し、当該算出した漏洩量ＬＬを用いて閾値判定を行うことにより、内視鏡１の気密性が確保されているか否かを判定するようにしてもよい。なお、漏洩量ＬＬを用いた閾値判定が行われる際には、後述の図３のステップＳ５において、漏洩量ＬＬの単位に応じた閾値ＴＨ１及び閾値ＴＨ２が（閾値設定部６５Ｂにより）それぞれ設定されるものとする。【００４３】
続いて、以上に述べたような漏洩検査が（後述の図３のステップＳ７において）実施される場合の処理等について、図３のフローチャートを参照しつつ説明する。図３は、実施例に係る内視鏡漏洩検査装置により行われる処理等の一例を説明するためのフローチャートである。【００４４】
ユーザーは、検査システム１０１の各部を図１に示すように接続し、当該各部の電源を投入した後、例えば、入力装置３に設けられた検査開始スイッチ（不図示）を押下することにより、漏洩検査を開始させるための指示を制御部６５に対して行う。または、ステップＳ１に示されるシリアル番号の取得を制御部６５が検査開始の合図と判断する。【００４５】
識別情報取得部としての機能を備えた制御部６５は、図３のステップＳ１において、漏洩検査を開始させるための指示が入力装置３において行われたことを検出した際に、漏洩検査が実施される検査対象の内視鏡１のシリアル番号を取得するための処理を行う。【００４６】
具体的には、制御部６５は、図３のステップＳ１において、例えば、内視鏡１における内視鏡情報を保有している部位と漏洩検査装置２の内視鏡情報認識部６４とがユーザーの手により内視鏡情報を取得可能な距離内に配置された際に、内視鏡情報認識部６４を経て入力される内視鏡情報に基づき、当該内視鏡情報に含まれるシリアル番号を抽出するための処理を行う。【００４７】
または、制御部６５は、例えば、内視鏡１のシリアル番号の手入力を促す入力画面を生成して表示装置４に表示させ、当該入力画面において入力されたシリアル番号を取得するための処理を行う。【００４８】
制御部６５は、図３のステップＳ２において、例えば、シリアル番号と機種名とが各内視鏡毎に関連付けられた状態で記憶部６３に格納されているテーブルデータを参照することにより、図３のステップＳ１の処理により取得したシリアル番号に対応する内視鏡１の機種を特定する。【００４９】
なお、本実施例の制御部６５は、図３のステップＳ２において、内視鏡１の機種を特定するための処理を行うものに限らず、例えば、記憶部６３に格納されているテーブルデータを参照することにより、被検体内に挿入可能な形状を具備して形成された内視鏡１の挿入部の径の大きさ及び長さのうちの少なくとも一方を特定するための処理を行うものであってもよい。【００５０】
その後、制御部６５は、図３のステップＳ３において、図３のステップＳ１の処理により取得したシリアル番号に基づき、当該取得したシリアル番号に該当する検査情報が、記憶部６３に格納されている検査履歴、及び、外部装置５に格納されている検査履歴のうちの少なくともいずれか一方に含まれているか否かを確認するための処理を行う。【００５１】
具体的には、制御部６５は、例えば、記憶部６３に格納されている検査履歴の中に、図３のステップＳ１の処理により取得したシリアル番号に該当する検査情報があるか否かを確認する。また、制御部６５は、例えば、図３のステップＳ１の処理により取得したシリアル番号に該当する検査情報が記憶部６３の検査履歴に含まれていないことを検出した場合に、当該シリアル番号に該当する検査情報の抽出結果に係る情報を返送させるための要求を外部装置５に対して行う。そして、制御部６５は、外部装置５から受信した抽出結果に係る情報の中に、図３のステップＳ１の処理により取得したシリアル番号に該当する検査情報が含まれているか否かを確認する。【００５２】
検査情報取得部としての機能を備えた制御部６５は、図３のステップＳ４において、図３のステップＳ１の処理により取得したシリアル番号に該当する検査情報が検査履歴に含まれているとの確認結果を得た場合には、当該確認結果に応じた各検査情報を記憶部６３または外部装置５から取得する。【００５３】
そして、制御部６５の閾値設定部６５Ｂは、図３のステップＳ５において、図３のステップＳ４の処理により取得した各検査情報と、図３のステップＳ２の処理により特定した内視鏡１の機種と、に基づき、図３のステップＳ７の漏洩検査で用いられる１つ以上の閾値を設定するための処理を行う。【００５４】
具体的には、閾値設定部６５Ｂは、図３のステップＳ５において、例えば、図３のステップＳ４の処理により取得した各検査情報の中から、気密性が確保されているとの検査結果が得られた際に取得された直近の１つの圧力変動値ΔＰ１を抽出し、内視鏡１の機種に応じて予め決められた１パスカル以上の圧力値ＰＬを当該抽出した圧力変動値ΔＰ１から減ずる演算を行うことにより（判定部６５Ｃによる判定の際に用いられる圧力値の下限に相当する）閾値ＴＨ１を設定し、内視鏡１の機種に応じて予め決められた１パスカル以上の圧力値ＰＨを当該抽出した圧力変動値ΔＰ１に加える演算を行うことにより（判定部６５Ｃによる判定の際に用いられる圧力値の上限に相当する）閾値ＴＨ２を設定する。【００５５】
または、閾値設定部６５Ｂは、図３のステップＳ５において、例えば、図３のステップＳ４の処理により取得した各検査情報の中から、気密性が確保されているとの検査結果が得られた際に取得された直近の１つの圧力変動値ΔＰ１を抽出し、内視鏡１の機種に応じて予め決められた１より小さな値である係数Ｋ１を当該抽出した圧力変動値ΔＰ１に乗ずる演算を行うことにより（判定部６５Ｃによる判定の際に用いられる圧力値の下限に相当する）閾値ＴＨ１を設定し、内視鏡１の機種に応じて予め決められた１より大きな値である係数Ｋ２を当該抽出した圧力変動値ΔＰ１に乗ずる演算を行うことにより（判定部６５Ｃによる判定の際に用いられる圧力値の上限に相当する）閾値ＴＨ２を設定する。【００５６】
なお、本実施例によれば、前述の圧力値ＰＬ、圧力値ＰＨ、係数Ｋ１及び係数Ｋ２が、内視鏡１の機種に応じて予め決められた値として設定されるものに限らず、例えば、入力装置３の操作に応じた値として設定されるようにしてもよい。【００５７】
また、本実施例の閾値設定部６５Ｂは、例えば、図３のステップＳ５において閾値ＴＨ１及びＴＨ２を設定する際に、係数Ｋ１及び係数Ｋ２のうちの少なくとも一方に対し、圧力変動値ΔＰ１の取得日時から現在の日時（内視鏡１に対する漏洩検査が実施される日時）までの経過期間に応じた重み付けを行うようにしてもよい。【００５８】
具体的には、閾値設定部６５Ｂは、例えば、圧力変動値ΔＰ１の取得日時から現在の日時までの経過期間が期間ＴＰ１以上であるような場合において、係数Ｋ１から係数Ｋ２を除する（＝Ｋ１／Ｋ２）ことにより得られる除算値ＤＶ１が１から離れるような（０に近づくような）重み付けを、係数Ｋ１及び係数Ｋ２のうちの少なくとも一方に対して行うようにしてもよい。一方、閾値設定部６５Ｂは、例えば、圧力変動値ΔＰ１の取得日時から現在の日時までの経過期間が期間ＴＰ１より十分短い期間ＴＰ２以下であるような場合において、係数Ｋ２から係数Ｋ１を除する（＝Ｋ２／Ｋ１）ことにより得られる除算値ＤＶ２が１から離れるような（０に近づくような）重み付けを、係数Ｋ１及び係数Ｋ２のうちの少なくとも一方に対して行うようにしてもよい。【００５９】
また、本実施例の閾値設定部６５Ｂは、図３のステップＳ５において、気密性が確保されているとの検査結果が得られた際に取得された直近の１つの圧力変動値ΔＰ１を用いて閾値ＴＨ１及びＴＨ２を設定するものに限らず、例えば、図３のステップＳ４の処理により取得した各検査情報の中から、気密性が確保されているとの検査結果が得られた際に取得された直近の複数の圧力変動値ΔＰ１〜ΔＰｋ（２≦ｋ）を抽出し、当該抽出した複数の圧力変動値ΔＰ１〜ΔＰｋの平均値ＡＶＲを算出し、当該算出した平均値ＡＶＲを用いて閾値ＴＨ１及びＴＨ２を設定するものであってもよい。【００６０】
一方、閾値設定部６５Ｂは、図３のステップＳ３において、図３のステップＳ１の処理により取得したシリアル番号に該当する検査情報が検査履歴に含まれていないとの確認結果を得た場合には、図３のステップＳ６において、図３のステップＳ２の処理により特定した内視鏡１の機種に応じた所定の値となるように、閾値ＴＨ１及びＴＨ２をそれぞれ設定する。【００６１】
制御部６５は、図３のステップＳ５またはステップＳ６の処理を経て設定された閾値ＴＨ１及びＴＨ２を用いて前述のような漏洩検査を図３のステップＳ７において実施することにより、判定部６５Ｃによる判定結果と、当該判定結果を得る際に用いられた圧力変動値ΔＰ１と、を検査結果として取得する。【００６２】
制御部６５は、図３のステップＳ１の処理により取得したシリアル番号と、図３のステップＳ７の漏洩検査により取得された検査結果と、当該検査結果を得た日時に相当する検査日時と、を関連付けることにより検査情報を生成する。そして、制御部６５は、図３のステップＳ８において、前述のように生成した検査情報により、記憶部６３に格納されている検査履歴を更新した後、一連の処理を完了する。そして、図３の一連の処理が繰り返し行われることにより、閾値ＴＨ１及びＴＨ２が、例えば、図４に示すように経時的に変化する。図４は、図３の処理により設定される閾値ＴＨ１及びＴＨ２の経時的変化の一例を示す図である。【００６３】
以上に述べたように、本実施例によれば、一の内視鏡に対して過去に実施された所定の漏洩検査の検査情報に基づき、当該一の内視鏡に対して現在実施される当該所定の漏洩検査に好適な閾値を設定することができる。その結果、本実施例によれば、内視鏡の気密性が確保されているか否かを確認するための検査における誤検知の発生を防止することができる。【００６４】
一方、本実施例によれば、例えば、日本国特開２００９−２２６１９３号公報、及び、日本国特開２０１０−３５９３６号公報等に開示された内視鏡洗浄消毒装置に本発明の内視鏡漏洩検査装置２を組み込んでもよい。【００６５】
具体的には、内視鏡の洗浄に用いる洗浄液を貯留可能に構成された洗浄消毒槽と、当該検査済の内視鏡の洗浄に用いる洗浄液を当該洗浄消毒槽に供給するように構成された洗浄液供給部と、当該検査済の内視鏡の洗浄に用いた洗浄液を当該洗浄消毒槽から排出するように構成された洗浄液排出部とを有する内視鏡洗浄消毒装置に、本発明の漏洩検査装置２が含まれていてもよい。【００６６】
日本国特開２００９−２２６１９３号公報を例にすると、前記公報に示されるコンプレッサ２２を本発明の送気部２１として用いることができる。前記公報に示されるＲＦＩＤリーダー６２を本発明の内視鏡情報認識部６４として用いることができる。前記公報に示されるＲＦＩＤタグ６１が本発明の無線タグ１１に該当する。【００６７】
日本国特開２０１０−３５９３６号公報を例にすると、前記公報に示される圧力センサ７７ｂを本発明の測定２３として用いることができる。前記公報に示されるスコープ認識部７５を本発明の内視鏡情報認識部６４として用いることができる。前記公報に示される制御部７０を本発明の制御部６５として用いることができる。前記公報に示される表示部７６を本発明の表示装置４として用いることができる。【００６８】
なお、本発明は、上述した実施例に限定されるものではなく、発明の趣旨を逸脱しない範囲内において種々の変更や応用が可能であることは勿論である。【００６９】
本出願は、２０１４年３月１１日に日本国に出願された特願２０１４−４７９２１号を優先権主張の基礎として出願するものであり、上記の開示内容は、本願明細書、請求の範囲、図面に引用されたものとする。
【要約】
内視鏡漏洩検査装置は、内視鏡の内部に連通可能に接続される内視鏡接続部と、内視鏡接続部に連通しており気体を送り出す送気部と、内視鏡の内部圧力を測定する測定部と、個々の内視鏡に固有に割り当てられたシリアルナンバーを認識する内視鏡情報認識部と、シリアルナンバーと測定部の測定結果とを紐付けて記憶する記憶部と、記憶部に記憶された同じシリアルナンバーの過去の測定結果を基に閾値を設定する閾値設定部と、閾値と、測定部による測定結果とを比較して前記内視鏡の漏洩の有無を判定する漏洩判定部と、を含む。【図１】
0005802867.tif 000002
【図２】
0005802867.tif 000003
【図３】
0005802867.tif 000004
【図４】
0005802867.tif 000005